(57)【要約】【課題】安全性を犠牲にすることなく、多種多様なたまり水における悪臭、濁り、ぬめり等の発生を効率的に抑制する。【解決手段】シソ科オリガナム属、シソ科コレウス属、マメ科ソホラ属、マメ科グリシリザ属、ミカン科フェロデンドロン属、フトモモ科シジギウム属、フトモモ科ピメンタ属、フトモモ科レプトスペルマム属、モクレン科マグノリア属、クスノキ科ラウラス属、ショウガ科アモマム属からなる植物群から選ばれる１種または２種以上の植物の抽出物を有効成分として用いる。【選択図】        なし【特許請求の範囲】
【請求項１】
シソ科オリガナム属、シソ科コレウス属、マメ科ソホラ属、マメ科グリシリザ属、ミカン科フェロデンドロン属、フトモモ科シジギウム属、フトモモ科ピメンタ属、フトモモ科レプトスペルマム属、モクレン科マグノリア属、クスノキ科ラウラス属、ショウガ科アモマム属からなる植物群から選ばれる１種または２種以上の植物の抽出物を含んでなる水処理剤。
【請求項２】
請求項１に記載の水処理剤を含む水処理用組成物。
【請求項３】
風呂水用清浄剤、たまり水清浄剤、配管清浄剤、流し場清浄剤、トイレ清浄剤のいずれかの剤形に調整されていることを特徴とする請求項２に記載の水処理用組成物。
【請求項４】
請求項１に記載の水処理剤をｐＨ４〜７の条件下で浄化対象のたまり水に作用させることを特徴とする水処理方法。
【発明の詳細な説明】
【技術分野】
【０００１】
本発明は、風呂残り湯、水洗トイレの貯留水や便器内のたまり水、流し場の排水トラップ内のたまり水、配管のトラップ部のたまり水等の、一般的なたまり水における微生物増殖による悪臭、ぬめり、にごりの発生や、さらには病原性物質の生成や、病原性細菌の発生、増殖を防ぐことのできる水処理剤、該水処理剤を用いた水処理用組成物および水処理方法に関するものである。
【背景技術】
【０００２】
従来、一般的なたまり水での微生物の増殖を抑制し、微生物増殖による悪臭、ぬめり、にごりの発生や、さらには病原性物質の生成や、病原性細菌の発生、増殖を防ぐ方法に関しては、種々報告されている。
【０００３】
例えば、塩素系薬剤やエチレンオキサイド等の化学薬剤を、所定のたまり水に混入して、微生物の増殖を抑制する方法は、従来から用いられている方法である。これらの塩素系薬剤やエチレンオキサイド等の化学薬剤は、微生物に対して殺菌、抗菌効果を示すものの、発癌性や刺激性等の危険因子を持つものが多く、使用に当たっての安全面を考慮しなければならず、実際の使用において制約が大きい。
【０００４】
これに対して、安全性の高い植物抽出物を用いた抗菌防腐剤（特許文献１）や、浴用剤（特許文献２）が提案されている。これらは、新しい着想の抗菌剤を用いた技術を提供しており、所定の効果を上げることができている。しかしながら、これらに提案の抗菌剤は、その抗菌効果が比較的に穏やかに作用するため、特に風呂水等の大量の水に対して添加する場合には、多量の添加量が必要となる。したがって、広く種々様々なたまり水に適用する場合には、実用性、経済性の面でさらなる改良が必要となる。
【０００５】
同様に植物抽出物を使用する抗菌技術として、甘草抽出物をｐＨ４〜８の条件で作用させる技術が提案されている（特許文献３）。この技術では、甘草抽出物をエタノールと組み合わせることが必須となっている。したがって、この抗菌技術を、広く種々様々なたまり水に適用しようとすると、使用場面が限定されるという問題が浮上することになる。
【０００６】
また、同様に植物抽出物を使用する抗菌技術として、補骨脂（オランダビュ（学術名：Psoraleacorlifolia）の種実）の抽出物を用いた技術（特許文献４）や、ヒバ抽出物を並塩と組み合わせて用いる技術（特許文献５）が提案されている。前者の抗菌技術は、レジオネラ菌やＭＲＳＡ（メチシリン・レジスタント・スタフィロコッカス・アウレウスの頭文字をとった略語で、メチシリン（抗生物質）に耐性を獲得した黄色ブドウ球菌を意味する）に特化したもので、対象菌種が限定されている。また、後者の抗菌技術では、２４時間風呂等の加熱、加温下で使用されるなどの使用条件に大きな限定が必要となっている。したがって、これら抗菌技術を種々雑多な微生物が増殖する様々なたまり水に適用しようとした場合、効果が期待できなかったり、使用条件が異なることにより、十分な効果を上げることができないことになる。
【０００７】
また、その他の抗菌技術として、特定の有機酸を風呂水に添加してｐＨを調製することで微生物増殖を抑制する技術が提案されている（特許文献６，７）。この抗菌技術は、風呂水の抗菌に特化したものであり、風呂水以外の広く種々様々なたまり水に適用しようとすると、使用条件が異なるため、十分な効果を上げることができない。
【０００８】
このように、広く種々様々なたまり水に適用して十分な抗菌作用をもたらすことのできる水処理剤や水処理用組成物として、満足し得る組成物は提供されていないのが、現状である。
【０００９】
【特許文献１】特開２００３−１１３０１３号公報
【特許文献２】特開平６−６５０５４号公報
【特許文献３】特開平１１−１８９７９２号公報
【特許文献４】特開２００１―２３３７０７号公報
【特許文献５】特開２０００−３４４６５９号公報
【特許文献６】特開昭５７−５６４２０号公報
【特許文献７】特開平１０−１６６号公報
【発明の開示】
【発明が解決しようとする課題】
【００１０】
本発明は、前記従来の事情に鑑みてなされたもので、その課題は、風呂の残り湯、水洗トイレの貯留水や便器内のたまり水、流し場の排水トラップ内のたまり水、配管のトラップ部のたまり水等の一般的な種々様々なたまり水における微生物増殖による悪臭、ぬめり、にごりや、さらには病原性物質の生成や病原性細菌の発生、増殖を防ぐことができ、かつ安全性の高い水処理剤、水処理用組成物、および水処理方法を提供することにある。
【課題を解決するための手段】
【００１１】
本発明者らは、上記課題を解決するため、鋭意、実験、検討を行った結果、シソ科オリガナム（Ｏｒｉｇａｎｕｍ）属、同シソ科コレウス（Ｃｏｌｅｕｓ）属、マメ科ソホラ（Ｓｏｐｈｏｒａ）属、同マメ科グリシリザ（Ｇｌｙｃｙｒｒｈｉｚａ）属、ミカン科フェロデンドロン（Ｐｈｅｌｌｏｄｅｎｄｒｏｎ）属、フトモモ科シジギウム（Ｓｙｚｙｇｉｕｍ）属、同フトモモ科ピメンタ（Ｐｉｍｅｎｔａ）属、同フトモモ科レプトスペルマム（Ｌｅｐｔｏｓｐｅｒｍｕｍ）属、モクレン科マグノリア（Ｍａｇｎｏｌｉａ）属、クスノキ科ラウラス（Ｌａｕｒｕｓ）属、ショウガ科アモマム（Ａｍｏｍｕｍ）属からなる植物群に属する植物の抽出物に、一般的なたまり水における、微生物増殖による悪臭、ぬめり、にごり、さらには病原性物質の生成や病原性細菌の発生、増殖を防ぐ効果があることを見出した。本発明は、かかる知見に基づき、なされたものである。
【００１２】
すなわち、本発明の水処理剤は、シソ科オリガナム属、シソ科コレウス属、マメ科ソホラ属、マメ科グリシリザ属、ミカン科フェロデンドロン属、フトモモ科シジギウム属、フトモモ科ピメンタ属、フトモモ科レプトスペルマム属、モクレン科マグノリア属、クスノキ科ラウラス属、ショウガ科アモマム属からなる植物群から選ばれる１種または２種以上の植物の抽出物を含んでなることを特徴とする。
【００１３】
また、本発明の水処理用組成物は、前記水処理剤を含むことを特徴とする組成物であって、剤形を調整することにより、風呂水用清浄剤、たまり水清浄剤、配管清浄剤、流し場清浄剤、トイレ清浄剤など多種多様な水処理剤製品とすることができる。
【００１４】
また、本発明の水処理方法は、前記水処理剤をｐＨ４〜７の条件下で浄化対象のたまり水に作用させることを特徴とする。
【発明の効果】
【００１５】
本発明の水処理剤、水処理用組成物、および水処理方法によれば、シソ科オリガナム属、シソ科コレウス属、マメ科ソホラ属、マメ科グリシリザ属、ミカン科フェロデンドロン属、フトモモ科シジギウム属、フトモモ科ピメンタ属、フトモモ科レプトスペルマム属、モクレン科マグノリア属、クスノキ科ラウラス属、ショウガ科アモマム属からなる植物群から選ばれる１種または２種以上の植物の抽出物を用いることによって、環境汚染を生じることなく、また、生体への安全性を犠牲にすることなく、風呂の残り湯、水洗トイレの貯留水や便器内のたまり水、流し場の排水トラップ内のたまり水、配管のトラップ部のたまり水等の一般的な種々様々なたまり水における微生物増殖による悪臭、ぬめり、にごりや、さらには病原性物質の生成や病原性細菌の発生、増殖を防ぐことができる。
【発明を実施するための最良の形態】
【００１６】
本発明に用いられる植物はその用部に特に限定はないが、効果をより発揮させるという観点からは、地上部を用いることが好ましい。ただし、必要に応じて地下部を用いることもできる。特に、フトモモ科ピメンタ（Ｐｉｍｅｎｔａ）属、ショウガ科アモマム（Ａｍｏｍｕｍ）属は、果実、種子を用いることが効果発揮の観点から好ましく、同様に、モクレン科マグノリア（Ｍａｇｎｏｌｉａ）属は樹皮もしくは根皮を用いることが、マメ科グリシリザ（Ｇｌｙｃｙｒｒｈｉｚａ）属は根部を用いることが、マメ科ソホラ（Ｓｏｐｈｏｒａ）属は花部もしくは根部を用いることが、効果発揮の面で好ましい。
【００１７】
前記各植物の用部を、生のままあるいは乾燥して、適当な大きさに切断したり、粉砕加工し、それらを抽出して、得られた抽出エキスあるいは成分を分離精製したものを用いることができる。各植物の抽出は、溶媒抽出、水蒸気蒸留、超臨界抽出等、通常の工業的に用いられている方法によって行うことができる。水処理剤としては、抽出溶媒として使用上無害なものを用いて得たのであれば、抽出液をそのまま用いても、適宜な溶媒で希釈した希釈液として用いてもよく、あるいは濃縮エキスとしたり、凍結乾燥などにより乾燥粉末としたり、ペースト状に調製したものなどが利用できる。
【００１８】
前記各植物の抽出物を得るのに用いる溶媒としては、メタノール、エタノール、ブタノール、ヘキサン、ヘプタン、シクロヘキサン、酢酸エチル、アセトン、モノテルペン類などの一般に用いられる有機溶媒や、グリセリン、１，３−ブチレングリコール、ジプロピレングリコール、プロピレングリコールなどのグリコール類や、水などを挙げることができる。これら溶媒は、１種を単独で、または２種以上を混合して使用することができる。これらの溶媒の中では、特に、エタノール、水、１，３−ブチレングリコール、モノテルペン類、およびこれらの混合溶剤が、望ましい。
【００１９】
また、抽出処理は、冷浸、温浸、加熱環流、パーコレーション法などの常法によって行うことができる。溶媒抽出の他に、水蒸気蒸留、炭酸ガスを超臨界状態にして行う超臨界抽出によって得たエキスも同様に利用できる。超臨界抽出では、抽出助剤としてヘキサン、エタノールなどを用いることもできる。
【００２０】
また、抽出物の分離精製は、抽出物を活性炭処理、液液分配、カラムクロマトグラフィー、液体クロマトグラフィーなどで処理することにより行うことができる。
【００２１】
本発明の水処理剤に使用する植物の抽出物を得る場合、前記諸条件以外の、抽出温度、抽出ｐＨなど、その他の抽出条件としては、特に制限はない。
【００２２】
本発明の植物抽出物の配合量は、組成物の用途、剤形などに応じて適宜選定されるが、一般的に固形物換算で、０．００１〜５０．０質量％（以下、単に「％」と記す）配合するのがよく、より好ましくは、０．０１〜２０．０％配合するのがよい。配合量が０．００１％未満であると、本発明の効果を発揮できず、５０．０％以上であると、十分な基剤量が確保できず、製剤調製上不都合を生じる。
【００２３】
本発明において、ｐＨ調整用の酸性物質を使用する場合には、特に制限はなく、いかなる酸性物質も使用できるが、特に、リン酸、クエン酸、コハク酸、フマル酸、リンゴ酸、アジピン酸、および炭酸ガスが、容器の腐食性低減、人体への刺激性緩和の面で好ましい。また、かかる酸性物質の添加量は、ｐＨを４〜７に調整できる量であれば、特に制限はなく、また１種もしくは２種以上の酸性物質を混合して用いることもできる。
【００２４】
本発明の水処理剤は、風呂の残り湯、水洗トイレの貯留水や便器内のたまり水、流し場の排水トラップ内のたまり水、配管のトラップ部のたまり水等の一般的な種々様々なたまり水における微生物増殖による悪臭、ぬめり、にごりや、さらには病原性物質の生成や病原性細菌の発生、増殖を防止する薬剤として調製、適用できる。本発明の水処理剤には、剤形などに応じた公知の配合成分を用いて常法により調製できる。例えば、界面活性剤、油分、アルコール類、保湿剤、研磨剤、粘結剤、粘稠剤、増粘剤、防腐剤、キレート剤、ｐＨ調整剤、香料、色素、水等を必要に応じて適宜配合することができる。
【００２５】
また、本発明の水処理剤の一般的なたまり水への確実な適用、固定を補助する目的で公知の用具を併用することもできる。例えば、難水溶性の素材で作られたテープ、シート、フィルム、ネット、プラスチック性箱容器、玩具、タオル、スポンジ等を、必要に応じて用いることができる。
【００２６】
また、本発明の水処理剤を含有させることによって、各種水処理用組成物を構成することができ、これら水処理用組成物としては、風呂水用清浄剤、たまり水清浄剤、配管清浄剤、流し場清浄剤、トイレ清浄剤など多種多様な水処理剤製品が考えられ、これら製品によっても、前記水処理剤による効果と同様の効果を得ることができる。
【実施例】
【００２７】
以下、本発明の実施例を説明するが、これら実施例は、本発明を好適に説明するための例示に過ぎず、なんら本発明を限定するものではない。
【００２８】
前述のように、本発明の水処理剤の有効成分は、シソ科オリガナム（Ｏｒｉｇａｎｕｍ）属、同シソ科コレウス（Ｃｏｌｅｕｓ）属、マメ科ソホラ（Ｓｏｐｈｏｒａ）属、同マメ科グリシリザ（Ｇｌｙｃｙｒｒｈｉｚａ）属、ミカン科フェロデンドロン（Ｐｈｅｌｌｏｄｅｎｄｒｏｎ）属、フトモモ科シジギウム（Ｓｙｚｙｇｉｕｍ）属、同フトモモ科ピメンタ（Ｐｉｍｅｎｔａ）属、同フトモモ科レプトスペルマム（Ｌｅｐｔｏｓｐｅｒｍｕｍ）属、モクレン科マグノリア（Ｍａｇｎｏｌｉａ）属、クスノキ科ラウラス（Ｌａｕｒｕｓ）属、ショウガ科アモマム（Ａｍｏｍｕｍ）属の１１種類の属の植物の抽出物である。これら１１種類の属の植物の抽出調製例を以下に示す。
【００２９】
（調製例１：１１種類の植物抽出エキスの調製）
フトモモ科ピメンタ（Ｐｉｍｅｎｔａ）属、ショウガ科アモマム（Ａｍｏｍｕｍ）属の各植物は、それらの果実、種子を乾燥し、粉砕して、粗末とした。同様に、モクレン科マグノリア（Ｍａｇｎｏｌｉａ）属の植物は、その樹皮もしくは根皮を乾燥し、粉砕して、粗末とし、マメ科グリシリザ（Ｇｌｙｃｙｒｒｈｉｚａ）属の植物は、根部を乾燥し、粉砕して、粗末とし、マメ科ソホラ（Ｓｏｐｈｏｒａ）属は、花部もしくは根部を乾燥、粉砕して、粗末とした。また、前記５種類以外の残りの６種類の属の植物、すなわち、シソ科オリガナム（Ｏｒｉｇａｎｕｍ）属、同シソ科コレウス（Ｃｏｌｅｕｓ）属、ミカン科フェロデンドロン（Ｐｈｅｌｌｏｄｅｎｄｒｏｎ）属、フトモモ科シジギウム（Ｓｙｚｙｇｉｕｍ）属、同フトモモ科レプトスペルマム（Ｌｅｐｔｏｓｐｅｒｍｕｍ）属、クスノキ科ラウラス（Ｌａｕｒｕｓ）属の６種類の植物については、地上部を乾燥して、粗末とした。
このようにして得られた各粗末１０ｇを１００％エタノール１００ｇに浸漬し、室温で５日間静置して、各植物のエキスを抽出した。５日間経過後、残渣を濾別して得られた抽出液を減圧濃縮し、エタノールを完全に除去して、前記５種類の植物の各抽出物１.５ｇを得た。この抽出物を１００％濃度とした。
【００３０】
前述のようにして得た１１種類の植物抽出物を１００％濃度として、各植物抽出物について以下のような濃度の水溶液を最も簡易な水処理剤として調製した。
シソ科オリガナム（Ｏｒｉｇａｎｕｍ）属植物抽出物の０．１％水溶液（実施例１用水処理剤）、
同シソ科コレウス（Ｃｏｌｅｕｓ）属植物抽出物の０．０５％水溶液（実施例２用水処理剤）、
マメ科ソホラ（Ｓｏｐｈｏｒａ）属植物の０．０５％水溶液（実施例３用水処理剤）、
同マメ科グリシリザ（Ｇｌｙｃｙｒｒｈｉｚａ）属植物の１．０％水溶液（実施例４用水処理剤）、
ミカン科フェロデンドロン（Ｐｈｅｌｌｏｄｅｎｄｒｏｎ）属植物の０．１％水溶液（実施例５用水処理剤）、
フトモモ科シジギウム（Ｓｙｚｙｇｉｕｍ）属植物の０．１％水溶液（実施例６用水処理剤）、
同フトモモ科ピメンタ（Ｐｉｍｅｎｔａ）属植物の２．０％水溶液（実施例７用水処理剤）、
同フトモモ科レプトスペルマム（Ｌｅｐｔｏｓｐｅｒｍｕｍ）属植物の０．０５％水溶液（実施例８用水処理剤）、
モクレン科マグノリア（Ｍａｇｎｏｌｉａ）属植物の０．０５％水溶液（実施例９用水処理剤）、
クスノキ科ラウラス（Ｌａｕｒｕｓ）属植物の０．５％水溶液（実施例１０用水処理剤）、
ショウガ科アモマム（Ａｍｏｍｕｍ）属植物の３．０％水溶液（実施例１１用水処理剤）
【００３１】
（実施例１〜１１：たまり水モデル系での評価）
前記実施例１〜１１用の各水処理剤（水溶液）を用いて、下記方法で微生物の増殖抑制効果を評価した。
一般的なたまり水のモデルとして、トリプトソイブイヨン培地を１０００倍希釈した培地を１０ｍＬを１１個数準備し、それぞれの培地に各実施例用の水処理剤２０μＬをそれぞれ添加した。各培地は、さらにクエン酸塩、もしくはリン酸塩を用いて、下記（表１）に示す所定のｐＨ濃度に調整した。これらの各培地（反応液）に、大腸菌と黄色ブドウ球菌を等量混合したものを１．０×１０3個／ｍＬ濃度で植菌し、３７℃にて１６時間培養した。その後、各反応液をサンプリングし、寒天平板希釈法にて菌数を測定し、微生物増殖抑制効果を下記の基準にて判定した。
【００３２】
（微生物増殖抑制効果判定基準）
◎：微生物増殖倍率が０〜１０倍
○：１０〜１００倍
△：１００〜１０００倍
×：１０００倍以上
【００３３】
【表１】
2005170915.tif 000002
【００３４】
（比較例１〜４）
前記実施例に対して、比較例１〜４として、トリプトソイブイヨン培地を１０００倍希釈した培地を１０ｍＬを４個数準備し、それぞれの培地をクエン酸塩もしくはリン酸塩を用いて、下記（表２）に示す所定のｐＨ濃度に調整した。これらの各培地（反応液）に、大腸菌と黄色ブドウ球菌を等量混合したものを１．０×１０3個／ｍＬ濃度で植菌し、３７℃にて１６時間培養した。その後、各反応液をサンプリングし、寒天平板希釈法にて菌数を測定し、微生物増殖抑制効果を前記の基準にて判定した。
【００３５】
【表２】
2005170915.tif 000003
【００３６】
（実施例１２〜１９：風呂水分離菌での評価）
実施例１２〜１９に用いる水処理剤として、下記の植物抽出液の希釈水溶液を調製した。
シソ科オリガナム（Ｏｒｉｇａｎｕｍ）属植物抽出物の０．０５％水溶液（実施例１２）、
同シソ科コレウス（Ｃｏｌｅｕｓ）属植物抽出物の０．０５％水溶液（実施例１３）、
マメ科ソホラ（Ｓｏｐｈｏｒａ）属植物の０．０５％水溶液（実施例１４）、
同マメ科グリシリザ（Ｇｌｙｃｙｒｒｈｉｚａ）属植物の０．０５％水溶液（実施例１５）、
ミカン科フェロデンドロン（Ｐｈｅｌｌｏｄｅｎｄｒｏｎ）属植物の０．０５％水溶液（実施例１６）、
フトモモ科シジギウム（Ｓｙｚｙｇｉｕｍ）属植物の０．０５％水溶液（実施例１７）、
同フトモモ科ピメンタ（Ｐｉｍｅｎｔａ）属植物の０．０５％水溶液（実施例１８）、
同フトモモ科レプトスペルマム（Ｌｅｐｔｏｓｐｅｒｍｕｍ）属植物の０．０５％水溶液（実施例１９）、
【００３７】
前記実施例１〜１１のたまり水モデル系と同様の評価方法で、対象の微生物として一般家庭で入浴後の風呂水から分離されたグラム陽性菌とグラム陰性菌の混合物を用いて、評価を行った。一般的な風呂水のモデルとして、トリプトソイブイヨン培地の各１０ｍＬを８個数準備し、それぞれの培地に前記実施例１２〜１９の水処理剤２０μＬをそれぞれ添加し、ｐＨを６．０に調整した。これらの各培地（反応液）に、風呂水から分離されたグラム陰性菌とグラム陽性菌の混合物を１．０×１０3個／ｍＬ濃度で植菌し、３７℃にて１６時間培養した。その後、各反応液をサンプリングし、寒天平板希釈法にて菌数を測定し、微生物増殖抑制効果を前記の基準にて判定した。その結果を下記（表３）に示す。
同時に、比較例５として、トリプトソイブイヨン培地を１０００倍希釈した培地の１０ｍＬを１個数準備し、この培地に、風呂水から分離されたグラム陰性菌とグラム陽性菌の混合物を１．０×１０3個／ｍＬ濃度で植菌し、ｐＨを６．０に調製したのみのものを評価した。
【００３８】
【表３】
2005170915.tif 000004
【００３９】
（実施例２０：一般家庭の浴槽での実使用評価）
家族４名が入浴した後の風呂水２００Ｌに対して、水処理剤として前記１００％濃度のピメンタ属植物抽出物を１ｐｐｍ添加し、さらにコハク酸１５ｇを添加してｐＨを４．５に調製し、良くかき混ぜた後、そのまま風呂蓋をして、１６時間放置した。１６時間経過後、蓋を開けて浴槽の状態を観察したところ、風呂水の臭気、濁りの発生は認められず、浴槽のぬめり等は認められなかった。
【００４０】
前記実施例１〜２０から明らかなように、本発明の水処理剤は、様々なたまり水に使用して優れた抗菌性を、安全性を犠牲にすることなく、発揮することができる。このような優れた抗菌特性は、本発明の水処理剤を含有させ、様々な剤形に適用させた様々な水処理用組成物としても、同様の効果を得ることができる。そのような水処理用組成物の典型的な配合例を以下に示す。なお、以下に記載の各植物抽出物は前記調製例の抽出法により抽出したものを用いた。下記の配合例の水処理用組成物を使用した場合、いずれもたまり水の濁り、臭気、ぬめりの発生は認められず、安全性も良好なものであった。
なお、組成物中に記した香料は、特開２００３−３００８１１号に記した香料に、ジブチルヒドロキシトルエンを０．００１％添加したものである。
【００４１】
（実施例２１）
本実施例は、本発明の水処理用組成物の具体例として、風呂水用清浄剤（粉末）の配合例（４例）を示すものである。この風呂用清浄剤は、２００Ｌの風呂水に対し３０ｇ使用することで、所望の効果を得ることができる。
【００４２】
【表４】
2005170915.tif 000005
【００４３】
（実施例２２）
本実施例は、本発明の水処理用組成物の具体例として、風呂水用清浄剤（液体）の配合例（４例）を示すものである。この風呂用清浄剤は、２００Ｌの風呂水に対し３０ｇ使用することで、所望の効果を得ることができる。
【００４４】
【表５】
2005170915.tif 000006
【００４５】
（実施例２３）
本実施例は、本発明の水処理用組成物の具体例として、たまり水清浄剤（固形）の配合例（４例）を示すものである。このたまり水清浄剤（固形）は、流水と接触でき、かつ設置場所に応じた形状の容器に入れ、シンク排水溝部分やトイレ排水タンク等に設置することで、所望の効果を得ることができる。
【００４６】
【表６】
2005170915.tif 000007
【００４７】
（実施例２４）
本実施例は、本発明の水処理用組成物の具体例として、たまり水清浄剤（液体）の配合例（３例）を示すものである。このたまり水清浄剤（液体）は、流水と接触でき、かつ設置場所に応じた形状の容器に入れ、シンク排水溝部分やトイレ排水タンク等に設置することで、所望の効果を得ることができる。
【００４８】
【表７】
2005170915.tif 000008
【産業上の利用可能性】
【００４９】
以上説明したように、本発明にかかる水処理剤は、シソ科オリガナム属、シソ科コレウス属、マメ科ソホラ属、マメ科グリシリザ属、ミカン科フェロデンドロン属、フトモモ科シジギウム属、フトモモ科ピメンタ属、フトモモ科レプトスペルマム属、モクレン科マグノリア属、クスノキ科ラウラス属、ショウガ科アモマム属からなる植物群から選ばれる１種または２種以上の植物の抽出物を有効成分として含有することを特徴としている。本発明によれば、かかる天然由来の抗菌性化合物を用いることによって、環境汚染を生じることなく、また、生体への安全性を犠牲にすることなく、風呂の残り湯、水洗トイレの貯留水や便器内のたまり水、流し場の排水トラップ内のたまり水、配管のトラップ部のたまり水等の一般的な種々様々なたまり水における微生物増殖による悪臭、ぬめり、にごりや、さらには病原性物質の生成や病原性細菌の発生、増殖を防ぐことができる。